【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
複数の画像を記憶する記憶手段と、
前記記憶手段に記憶されている複数の画像から、基準画像及び比較画像を指定する画像指定手段と、
指定された前記基準画像及び前記比較画像の撮影日時情報を取得し、前記基準画像の撮影日時情報と前記比較画像の撮影日時情報とを比較する比較手段と、
前記比較手段による比較結果に基づいて、経時的差分画像を生成する際の演算を決定する決定手段と、
前記決定手段により決定した演算を用いて、前記基準画像及び前記比較画像から前記経時的差分画像を生成する差分画像生成手段と
を含むことを特徴とする画像処理装置。
【請求項２】
前記決定手段は、前記比較手段による比較結果に基づいて、前記基準画像又は前記比較画像のいずれかを他方から減算するかを決定することを特徴とする請求項１に記載の画像処理装置。
【請求項３】
前記差分画像生成手段は、前記画像指定手段により指定された前記基準画像を基準として前記比較画像を変形させ、前記基準画像と変形させた前記比較画像から前記経時的差分画像を生成することを特徴とする請求項１に記載の画像処理装置。
【請求項４】
前記画像指定手段は、前記記憶手段に記憶されている画像のリストを表示可能であって、表示された画像のリストから前記基準画像及び前記比較画像を選択することを特徴とする請求項１に記載の画像処理装置。
【請求項５】
前記画像指定手段は、前記記憶手段に記憶されている画像を縮小表示した縮小画像を表示可能であって、表示された縮小画像に対する指示入力に基づいて、前記基準画像及び前記比較画像を選択することを特徴とする請求項１に記載の画像処理装置。
【請求項６】
前記画像指定手段は、前記記憶手段に記憶されている画像を撮影日時情報に基づく所定の順序で表示可能であって、表示された画像に対する指示入力に基づいて前記基準画像及び前記比較画像を選択することを特徴とする請求項１に記載の画像処理装置。
【請求項７】
前記決定手段は、
前記比較画像の撮影日時情報により示される撮影日時が前記基準画像の撮影日時情報により示される撮影日時よりも過去である場合、前記比較画像から前記基準画像を減算し、
前記比較画像の撮影日時情報により示される撮影日時が前記基準画像の撮影日時情報により示される撮影日時よりも最近である場合、前記基準画像から前記比較画像を減算するように演算を決定することを特徴とする請求項１に記載の画像処理装置。
【請求項８】
記憶手段に記憶されている画像から、基準画像及び比較画像を指定するステップと、
指定された前記基準画像及び前記比較画像の撮影日時情報を取得し、前記基準画像の撮影日時情報と前記比較画像の撮影日時情報とを比較するステップと、
前記比較の結果に基づいて、経時的差分画像を生成する際の演算を決定するステップと、
決定した演算を用いて、前記基準画像及び前記比較画像から前記経時的差分画像を生成するステップと
を含むことを特徴とする画像処理方法。
【請求項９】
前記経時的差分画像を生成する際の演算を決定するステップでは、前記比較結果に基づいて、前記基準画像又は前記比較画像のいずれかを他方から減算するかを決定することを特徴とする請求項８に記載の画像処理方法。
【請求項１０】
前記差分画像を生成するステップでは、指定された前記基準画像を基準として前記比較画像を変形させ、前記基準画像と変形させた前記比較画像から前記経時的差分画像を生成することを特徴とする請求項８に記載の画像処理方法。
【請求項１１】
前記基準画像及び前記比較画像を指定するステップでは、記憶されている画像のリストを表示し、表示された画像のリストから前記基準画像及び前記比較画像を選択することを特徴とする請求項８に記載の画像処理方法。
【請求項１２】
前記基準画像及び前記比較画像を指定するステップでは、記憶されている画像を縮小表示した縮小画像を表示可能であって、表示された縮小画像に対する指示入力に基づいて、前記基準画像及び前記比較画像を選択することを特徴とする請求項８に記載の画像処理方法。
【請求項１３】
前記基準画像及び前記比較画像を指定するステップでは、記憶されている画像を撮影日時情報に基づく所定の順序で表示可能であって、表示された画像に対する指示入力に基づいて前記基準画像及び前記比較画像を選択することを特徴とする請求項８に記載の画像処理方法。
【請求項１４】
前記経時的差分画像を生成する際の演算を決定するステップでは、前記比較画像の撮影日時情報により示される撮影日時が前記基準画像の撮影日時情報により示される撮影日時よりも過去である場合、前記比較画像から前記基準画像を減算し、
前記比較画像の撮影日時情報により示される撮影日時が前記基準画像の撮影日時情報により示される撮影日時よりも最近である場合、前記基準画像から前記比較画像を減算するように演算を決定することを特徴とする請求項８に記載の画像処理方法。
【請求項１５】
請求項８乃至１４のいずれか１項に記載の画像処理方法をコンピュータに実行させるための制御プログラム。
【請求項１６】
請求項８乃至１４のいずれか１項に記載の画像処理方法をコンピュータに実行させるための制御プログラムを格納したコンピュータ読み取り可能な記憶媒体。
【手続補正２】
【補正対象書類名】明細書
【補正対象項目名】００１２
【補正方法】変更
【補正の内容】
【００１２】
本発明の画像処理装置の一態様では、前記決定手段は、前記比較手段による比較結果に基づいて、前記基準画像又は前記比較画像のいずれかを他方から減算するかを決定する。
【手続補正３】
【補正対象書類名】明細書
【補正対象項目名】００１７
【補正方法】変更
【補正の内容】
【００１７】
本発明の画像処理装置の一態様では、前記決定手段は、前記比較画像の撮影日時情報により示される撮影日時が前記基準画像の撮影日時情報により示される撮影日時よりも過去である場合、前記比較画像から前記基準画像を減算し、前記比較画像の撮影日時情報により示される撮影日時が前記基準画像の撮影日時情報により示される撮影日時よりも最近である場合、前記基準画像から前記比較画像を減算するように演算を決定する。
【手続補正４】
【補正対象書類名】明細書
【補正対象項目名】００１８
【補正方法】変更
【補正の内容】
【００１８】
本発明の画像処理方法は、記憶手段に記憶されている画像から、基準画像及び比較画像を指定するステップと、指定された前記基準画像及び前記比較画像の撮影日時情報を取得し、前記基準画像の撮影日時情報と前記比較画像の撮影日時情報とを比較するステップと、前記比較の結果に基づいて、経時的差分画像を生成する際の演算を決定するステップと、決定した演算を用いて、前記基準画像及び前記比較画像から前記経時的差分画像を生成するステップとを含む。
【手続補正５】
【補正対象書類名】明細書
【補正対象項目名】００１９
【補正方法】変更
【補正の内容】
【００１９】
本発明の画像処理方法の一態様において、前記経時的差分画像を生成する際の演算を決定するステップでは、前記比較結果に基づいて、前記基準画像又は前記比較画像のいずれかを他方から減算するかを決定する。
【手続補正６】
【補正対象書類名】明細書
【補正対象項目名】００２４
【補正方法】変更
【補正の内容】
【００２４】
本発明の画像処理方法の一態様において、前記経時的差分画像を生成する際の演算を決定するステップでは、前記比較画像の撮影日時情報により示される撮影日時が前記基準画像の撮影日時情報により示される撮影日時よりも過去である場合、前記比較画像から前記基準画像を減算し、前記比較画像の撮影日時情報により示される撮影日時が前記基準画像の撮影日時情報により示される撮影日時よりも最近である場合、前記基準画像から前記比較画像を減算するように演算を決定する。